(57)【要約】【課題】導光設備によって屋外から光が導入される浴室ユニットであって、導光設備及び排気ダクトの構成を簡略化できる浴室ユニットを提供する。【解決手段】屋外から光を導入する光ダクトが結合される浴室ユニット１において、天井４を遮光性のパネル材５及び透光性のパネル材６により構成する。そして、パネル材５には排気口１１を形成し、パネル材６には点検口１３を形成する。また、光ダクトの光出射口１０４をパネル材６の直上域において下方に向けて開口させ、光出射口１０４から出射した光が、パネル材６を透過して浴室ユニット１内に導入されるようにする。【選択図】図３
2008082092.tif 000002
【特許請求の範囲】
【請求項１】
導光設備によって屋外から光が導入される浴室ユニットであって、
前記浴室ユニットの天井を構成する複数枚のパネル材を備え、
前記複数枚のパネル材のうち１枚以上のパネル材が透光性であり、
前記導光設備から出射した光は、前記透光性のパネル材を透過して前記浴室ユニット内に導入されることを特徴とする浴室ユニット。
【請求項２】
前記パネル材の枚数が２枚であり、
一の前記パネル材は透光性であり、点検口が形成されており、
他の前記パネル材は遮光性であり、排気口が形成されていることを特徴とする請求項１記載の浴室ユニット。
【請求項３】
前記パネル材の枚数が３枚であり、
一の前記パネル材は透光性であり、開口部は形成されておらず、
他の前記パネル材は遮光性であり、点検口が形成されており、
更に他の前記パネル材は遮光性であり、排気口が形成されていることを特徴とする請求項１記載の浴室ユニット。
【請求項４】
前記パネル材の枚数が３枚であり、
一の前記パネル材は透光性であり、端縁に第１の切込が形成されており、
他の前記パネル材は透光性であり、端縁に前記第１の切込と結合することにより点検口を構成する第２の切込が形成されており、
更に他の前記パネル材は遮光性であり、排気口が形成されていることを特徴とする請求項１記載の浴室ユニット。
【請求項５】
前記透光性のパネル材における前記導光設備から出射した光が照射される領域は、前記排気口及び前記点検口よりも浴槽の足側に位置していることを特徴とする請求項２〜４のいずれか１つに記載の浴室ユニット。
【請求項６】
前記透光性のパネル材における前記導光設備から出射した光が照射される領域以外の領域上に設けられたカラーシートをさらに備えたことを特徴とする請求項１〜５のいずれか１つに記載の浴室ユニット。
【請求項７】
前記透光性のパネル材における前記導光設備から出射した光が照射される領域以外の領域上に設けられた断熱材をさらに備えたことを特徴とする請求項１〜６のいずれか１つに記載の浴室ユニット。
【発明の詳細な説明】
【技術分野】
【０００１】
本発明は、浴室ユニットに関し、特に、導光設備によって屋外から光が導入される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられている。
【０００４】
しかしながら、特許文献１に記載された技術においては、排気ダクトの内部に光ダクトを設けて共用ダクトを形成しているため、この共用ダクトの構成が複雑であり、外径が大きいと共に、コストが高い。また、排気ダクト及び光ダクトのそれぞれのメンテナンスが困難である。更に、通常、排気ダクトは建築物の外壁に引き出されているのに対し、光ダクトは、採光効率を高くするために、建築物の屋根に引き出されることが好ましい。しかしながら、特許文献１に記載の技術では、排気ダクトと光ダクトとを相互に異なる位置に引き出すことはできない。
【０００５】
【特許文献１】実開昭６０−０３３２４０号公報
【発明の開示】
【発明が解決しようとする課題】
【０００６】
本発明の目的は、導光設備によって屋外から光が導入される浴室ユニットであって、導光設備及び排気ダクトの構成を簡略化できる浴室ユニットを提供することである。
【課題を解決するための手段】
【０００７】
本発明の一態様によれば、導光設備によって屋外から光が導入される浴室ユニットであって、前記浴室ユニットの天井を構成する複数枚のパネル材を備え、前記複数枚のパネル材のうち１枚以上のパネル材が透光性であり、前記導光設備から出射した光は、前記透光性のパネル材を透過して前記浴室ユニット内に導入されることを特徴とする浴室ユニットが提供される。
【発明の効果】
【０００８】
本発明によれば、導光設備によって屋外から光が導入され、導光設備及び排気ダクトの構成を簡略化できる浴室ユニットを実現することができる。
【発明を実施するための最良の形態】
【０００９】
以下、図面を参照しつつ本発明の実施形態について説明する。  
先ず、本発明の第１の実施形態について説明する。  
図１は、本実施形態に係る浴室ユニットが設けられた建築物を例示する模式的断面図であり、  
図２は、本実施形態に係る浴室ユニットを例示する斜視図であり、  
図３は、この浴室ユニットを例示する模式的上面図である。  
なお、図３においては、光ダクトの光出射口及びパネル材の出射領域を二点鎖線で示している。後述する図４乃至図６についても同様である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の内部は中空であり、その内面は光反射面とされている。そして、光ダクト１０２の一方の端部は、例えば住宅１０１の屋根に設けられた採光部１０３に結合されている。採光部１０３は、透明板からなるドームによって覆われており、砂や埃は通過させないが光は透過させる。また、光ダクト１０２の他方の端部は、浴室ユニット１の直上域まで引き込まれている。この端部は光学的に開口しており、光出射口１０４となっている。これにより、光ダクト１０２は、住宅１０１の外部から採光部１０３を介して導入された外光Ｌを、その内面において反射しつつ導光して、浴室ユニット１の直上域において、光出射口１０４から出射する。
【００１１】
図１乃至図３に示すように、浴室ユニット１においては、床の一方の側に浴槽２が設けられており、他方の側が洗い場３となっている。また、浴室ユニット１の天井４は、２枚のパネル材５及び６により構成されている。パネル材５は浴槽２側に配置されており、パネル材６は洗い場３側の配置されており、相互に連結されている。パネル材５及び６の形状は、それぞれ長方形の板状である。
【００１２】
パネル材５は遮光性であり、光を実質的に透過させない。パネル材５は、例えば、金属若しくは合金材料又は遮光性の樹脂材料により形成されている。一方、パネル材６は透光性であり、入射した光の少なくとも一部を透過させる。パネル材６は、例えば、光を直線的に透過させる透明板若しくは半透明板、又は光を拡散させながら通過させる拡散透光板、例えば乳白色板であり、例えば、透光性の樹脂材料により形成されており、例えば、ポリカーボネート、アクリル、ポリエステル又はＦＲＰ（Fiber Reinforced Plastics：繊維強化プラスチック）によって形成されている。
【００１３】
そして、パネル材５には排気口１１が形成されている。また、パネル材５上には、排気口１１を囲むように木製の枠組（図示せず）が設けられており、この枠組上に、排気口１１に連通された排気装置１２が設けられている。排気装置１２は、住宅１０１に配設された排気管１０５に接続されており、排気管１０５は、住宅１０１の外壁において開口している。これにより、排気口１１は、排気装置１２及び排気管１０５を介して住宅１０１の外部に連通されている。排気口１１の形状は例えば正方形であり、一辺の長さは例えば１００乃至１８０ミリメートルである。なお、排気装置１２の替わりに浴室乾燥機を設置してもよく、その場合には、排気口１１の大きさはもっと大きくなる。排気口１１とパネル材５の端縁とは、例えば１００ミリメートル以上離れている。
【００１４】
また、パネル材６には点検口１３が形成されている。点検口１３は、浴室ユニット１の天井４上に設けられた機能部材、たとえば、排気装置１２などを点検するための開口部であり、点検時に作業者が上半身を乗り出せる程度の大きさとされている。点検口１３の形状は例えば正方形であり、一辺の長さは例えば４５０ミリメートルである。また、点検口１３には点検口蓋１４が着脱可能に設けられており、非点検時には点検口蓋１４によって塞がれている。点検口蓋１４は、例えばパネル材６と同じ透光性の材料により形成されている。点検口１３とパネル材６の端縁とは、例えば１００ミリメートル以上離れている。
【００１５】
更に、パネル材６の直上域には、光ダクト１０２の光出射口１０４が下方に向けて開口している。すなわち、光出射口１０４がパネル材６に対向している。これにより、光ダクト１０２から光出射口１０４を介して出射した光は、透光性のパネル材６に対して照射され、パネル材６を透過して、浴室ユニット１の内部に導入される。
【００１６】
光ダクト１０２の光出射口１０４はパネル材６に接触していてもよく、隙間を挟んで離隔していてもよい。光出射口１０４がパネル材６に接触していれば、パネル材６の上面における光の照射領域は光出射口１０４の接触領域と一致し、パネル材６の下面における光の出射領域１５は、光出射口１０４の接触領域に相当する領域か、それよりも若干大きな領域となる。一方、光出射口１０４がパネル材６から離隔していれば、パネル材６の上面における光の照射領域は光出射口１０４の接触領域よりも大きな領域となり、パネル材６の下面における光の出射領域１５も、光出射口１０４の接触領域に相当する領域よりも大きな領域となる。このとき、出射領域１５の外縁はぼやけ、柔らかい照明を実現することができる。
【００１７】
そして、上方から見て、出射領域１５は、排気口１１及び点検口１３よりも浴槽２の足側に配置されている。例えば、排気口１１及び点検口１３はそれぞれパネル材５及び６の中央部に配置されており、出射領域１５は浴槽２の足側の領域に配置されている。なお、浴槽の「頭側」及び「足側」とは、入浴者が浴槽内で通常の入浴姿勢をとったときに、それぞれ入浴者の頭及び足が位置する側である。通常、浴槽の足側の部分には、浴槽内に水を供給するための水栓が設けられており、浴室ユニットの側壁のうち浴槽の足側の面には、シャワーが設けられている。そして、一般的には、この足側の面に鏡が取り付けられている。
【００１８】
一例では、本実施形態に係る浴室ユニット１においては、浴槽２の足側部分のリム上には、水栓２１が設けられている。また、浴室ユニット１の側壁であって、浴槽２の足側の面２２のうち、洗い場３側の領域には、入浴者のほぼ全身が映せるような大型の鏡２３が取り付けられている。そして、例えば、鏡２３の向かって右側の側方には多段の収納棚２４が造り付けられており、鏡２３の向かって左側の側方にはシャワー２５が取り付けられており、鏡２３の下方にはカウンター２６が設けられている。また、面２２における鏡２３よりも上方の領域には、例えば２個の人工照明２７が設けられている。
【００１９】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、光出射口１０４から出射する。光出射口１０４から出射した外光Ｌは、パネル材６の一部に照射され、パネル材６を透過して、パネル材６の下面における出射領域１５から浴室ユニット１の内部に導入される。また、排気装置１２が作動することにより、排気口１１及び排気管１０５を介して、浴室ユニット１内の空気が住宅１０１の外部に排出される。
【００２０】
このとき、パネル材６は洗い場３側に配置されており、出射領域１５はパネル材６における浴槽２の足側の領域に形成されているため、パネル材６の出射領域１５から出射した光は、洗い場３における足側の領域に向けて照射される。
【００２１】
一方、浴室ユニット１の点検作業を行う際には、点検作業者は点検口１３から点検口蓋１４を取り外し、開口された点検口１３から天井４上に上半身を乗り出して、排気装置１２及び光ダクト１０２などの点検作業を行う。
【００２２】
次に、本実施形態の効果について説明する。  
本実施形態においては、光ダクト１０２と排気管１０５とを相互に独立して配設しているため、光ダクト１０２及び排気管１０５の構成を簡略化することができ、それぞれを小径化することができると共に、コストを低減することができる。また、光ダクト１０２及び排気管１０５のそれぞれのメンテナンス性が良好になる。更に、光ダクト１０２を住宅１０１の屋根に引き出しつつ、排気管１０５を住宅１０１の外壁に引き出すことができる。
【００２３】
また、本実施形態においては、パネル材６を透光性とし、光ダクト１０２の光出射口１０４から出射した光を、パネル材６を透過させて、浴室ユニット１内に導入している。このため、パネル材５及び６において、光ダクト１０２から出射した光を浴室ユニット１内に導入するための開口部を設ける必要がない。この結果、開口部を設けることにより、パネル材５及び６の強度が低下することがない。これに対して、仮に、浴室ユニット１内に光を導入するための開口部をパネル材６に形成すると、パネル材６にはこの開口部及び点検口１３の２つの開口部が形成されることになるため、強度が低下する。また、仮に、光を導入するための開口部をパネル材５に形成すると、パネル材５にはこの開口部及び排気口１１の２つの開口部が形成されることになるため、やはり強度が低下する。このようにパネル材の強度が低下すると、パネル材を厚くするなどの対策が必要となり、コストが増加する。
【００２４】
更に、本実施形態においては、天井４が２枚のパネル材５及び６により構成されているため、浴室ユニット１の住宅１０１への搬入性及び住宅１０１内における施工性が良好である。
【００２５】
更にまた、本実施形態においては、パネル材６の出射領域１５から出射した光は、洗い場３に向けて照射される。これにより、洗い場３にいる入浴者の身体を暖めることができる。また、出射領域１５がパネル材６における浴槽２の足側の領域に形成されるため、出射領域１５から出射する外光により、身体などを洗うために洗い場３で鏡２３に向かっている入浴者を、正面から照明することができる。これにより、入浴者が身体などを洗う際の作業性が向上する。
【００２６】
なお、本実施形態においては、遮光性のパネル材５を浴槽２側に配置し、透光性のパネル材６を洗い場３側に配置する例を示したが、この配置は逆でもよい。すなわち、遮光性のパネル材５を洗い場３側に配置して、このパネル材５に排気口１１を形成し、透光性のパネル材６を浴槽２側に配置して、このパネル材６に点検口１３を形成すると共に、光ダクト１０２から出射された光が照射されるようにしてもよい。これにより、主として浴槽２側を照明することができる。
【００２７】
次に、本発明の第２の実施形態について説明する。  
図４は、この浴室ユニットを例示する模式的上面図である。  
図４に示すように、本実施形態に係る浴室ユニット３１においては、天井４が３枚のパネル材３５乃至３７により構成されている。パネル材３５は浴槽２側に配置されており、パネル材３６は洗い場３側の配置されており、パネル材３７はパネル材３５とパネル材３６との間に配置されている。すなわち、天井４においては、浴槽２から洗い場３に向かう方向に沿って、パネル材３５、パネル材３７及びパネル材３６がこの順に配列されている。そして、パネル材３７はパネル材３５及び３６の双方に連結されている。パネル材３５乃至３７の形状は、それぞれ長方形の板状である。
【００２８】
そして、パネル材３５及び３６は遮光性であり、パネル材３７は透光性である。パネル材３５には排気口１１が形成されており、パネル材３６には点検口１３が形成されており、点検口１３には点検口蓋４４が着脱可能に設けられている。点検口蓋４４は遮光性の材料により形成されている。一方、パネル材３７には開口部は形成されていない。また、パネル材３７の直上域においては、光ダクト１０２（図１参照）の光出射口１０４が下方に向けて開口している。これにより、光ダクト１０２の光出射口１０４から出射した光は、透光性のパネル材３７を透過して、浴室ユニット３１の内部に導入される。
【００２９】
また、光ダクト１０２の光出射口１０４は、パネル材３７における浴槽２の足側の領域の直上域に配置されている。これにより、パネル材３７の下面における光の出射領域１５は、排気口１１及び点検口１３よりも浴槽２の足側の領域に形成される。例えば、排気口１１及び点検口１３は、それぞれパネル材３５及び３６における中央部に形成されており、出射領域１５はパネル材３７における中央部よりも足側の領域に形成される。本実施形態における上記以外の構成及び動作は、前述の第１の実施形態と同様である。
【００３０】
本実施形態においては、天井４が３枚のパネル材３５乃至３７により構成されているため、浴室ユニット１の搬入性及び施工性がより優れている。この効果は、本実施形態を大型の浴室ユニットに適用する場合に、特に大きい。また、透光性のパネル材３７には、開口部などは形成されていないため、全体を均一に形成することができる。これにより、例えば、光出射口１０４をパネル材３７からより大きく離隔させて、且つ光を適当に分散させれば、パネル材３７から光を均一に出射させることができる。本実施形態における上記以外の効果は、前述の第１の実施形態と同様である。
【００３１】
次に、本発明の第３の実施形態について説明する。  
図５は、この浴室ユニットを例示する模式的上面図である。  
図５に示すように、本実施形態に係る浴室ユニット５１においては、前述の第２の実施形態と比較して、パネル材３７が洗い場３側に配置されており、パネル材３６がパネル材３５とパネル材３７との間に配置されている点が異なっている。すなわち、浴槽２から洗い場３に向かう方向に沿って、パネル材３５、パネル材３６及びパネル材３７がこの順に配列されている。
【００３２】
パネル材３５乃至３７の構成は、前述の第２の実施形態と同様である。すなわち、パネル材３５は遮光性であって排気口１１が形成されており、パネル材３６も遮光性であって点検口１３が形成されており、パネル材３７は透光性であってその直上域に光ダクト１０２の光出射口１０４が配置されており、光出射口１０４から出射した光が照射されるようになっている。本実施形態における上記以外の構成、動作及び効果は、前述の第２の実施形態と同様である。
【００３３】
次に、本発明の第４の実施形態について説明する。  
図６は、この浴室ユニットを例示する模式的上面図である。  
図６に示すように、本実施形態に係る浴室ユニット６１においては、天井４が３枚のパネル材６５乃至６７により構成されている。パネル材６５は浴槽２側に配置されており、パネル材６７は洗い場３側の配置されており、パネル材６６はパネル材６５とパネル材６７との間に配置されている。すなわち、天井４においては、浴槽２から洗い場３に向かう方向に沿って、パネル材６５、パネル材６６及びパネル材６７がこの順に配列されている。そして、パネル材６６はパネル材６５及び６７の双方に連結されている。パネル材６５乃至６７の形状は、それぞれ長方形の板状である。
【００３４】
そして、パネル材６５は遮光性であり、パネル材６６及び６７は透光性である。パネル材６５には排気口１１が形成されている。また、パネル材６６及びパネル材６７に跨って、点検口１３が形成されている。すなわち、パネル材６６におけるパネル材６７側の端縁には切込６６ａが形成されており、パネル材６７におけるパネル材６６側の端縁には切込６７ａが形成されており、パネル材６６とパネル材６７とが相互に連結されることにより、切込６６ａと切込６７ａとが結合して１つの開口部が形成され、点検口１３となっている。例えば、切込６６ａの形状及び大きさは、切込６７ａの形状及び大きさと等しい。そして、点検口１３には、透光性の材料からなる点検口蓋１４が着脱可能に取り付けられている。
【００３５】
また、パネル材６６及びパネル材６７の境界部分であって、点検口１３よりも浴槽２の足側の領域の直上域には、光ダクト１０２（図１参照）の光出射口１０４が下方に向けて開口している。これにより、光ダクト１０２の光出射口１０４から出射した光は、透光性のパネル材６６及び６７を透過して、浴室ユニット６１の内部に導入される。本実施形態における上記以外の構成及び動作は、前述の第２の実施形態と同様である。
【００３６】
本実施形態によれば、点検口１３がパネル材６６及びパネル材６７に跨って形成されているため、点検口１３を形成することによる強度の低下を、パネル材６６及び６７に分散させることができる。これにより、点検口１３を設けることによって特定のパネル材の強度が低下することを抑制し、天井４全体の強度を向上させることができる。
【００３７】
また、パネル材６６及び６７が透光性であるため、天井４の全領域に占める透光性の領域の割合が大きい。このため、例えば、光ダクトの光出射口１０４と天井４との間の距離を前述の第２の実施形態よりも大きくとることにより、パネル材６６及び６７における光の出射領域を大きくすることができる。例えば、点検口蓋１４も含めて、パネル材６６及び６７の全領域を光の出射領域とすることができる。これにより、均一で柔らかな照明が可能となる。本実施形態における上記以外の効果は、前述の第２の実施形態と同様である。
【００３８】
なお、前述の第２乃至第４の実施形態において、パネル材の配置は任意である。例えば、前述の第２又は第３の実施形態において、透光性のパネル材３７を浴槽２側に配置し、排気口１１が形成された遮光性のパネル材３５を中央又は洗い場３側に配置してもよい。また、前述の第４の実施形態において、排気口１１が形成された遮光性のパネル材６５を洗い場３側に配置し、浴槽２側及び中央に透光性のパネル材６６及び６７を配置してもよい。
【００３９】
また、前述の第１乃至第４の実施形態においては、一部のパネル材のみを透光性とし、残りのパネル材を遮光性とする例を示したが、本発明においては、全てのパネル材を透光性としてもよい。この場合、排気口は透光性のパネル材に形成してもよく、浴室ユニットの側壁の上部に形成してもよい。更に、天井を４枚以上のパネル材により構成し、そのうち１枚以上のパネル材を透光性としてもよい。更にまた、光ダクトの光出射口を配置する位置は、浴槽の足側の領域に限定されず、例えば頭側の領域であってもよい。
【００４０】
更にまた、前述の第１乃至第４の実施形態において、透光性のパネル材における光の照射領域以外の領域上に、カラーシートを敷設してもよい。これにより、浴室ユニット内から天井を見たときの外観が向上する。特に、透光性のパネル材として透明板を使用する場合には、入浴者から浴室ユニットの天井裏を隠すことができ、入浴時の快適性が向上する。また、透光性のパネル材における光の照射領域以外の領域上に、断熱材を設けてもよい。又は、この領域上にカラーシートを設け、その上に断熱材を設けてもよい。このように断熱材を設けることにより、浴室ユニットの断熱性を向上させることができる。なお、この断熱材は遮光性のパネル材上にも設けることができる。すなわち、天井の上方における光の照射領域以外の領域の全体に、断熱材を設けてもよい。これにより、浴室ユニットの断熱性をより一層向上させることができる。
【００４１】
以上、本発明の実施形態を参照しつつ、本発明の特徴を説明した。しかし、本発明は、これらの実施形態に限定されるものではなく、前述の各実施形態に係る浴室ユニットを構成するいずれかの要素について、当業者が適宜追加、省略又は設計変更を加えたものであっても、本発明の要旨を備えたものであれば、本発明の範囲に包含される。例えば、前述の各実施形態においては、屋外から浴室ユニット内に外光を導入する導光設備が光ダクトである例を示したが、本発明はこれに限定されず、導光設備は例えば光ファイバであってもよい。
【図面の簡単な説明】
【００４２】
【図１】本発明の第１の実施形態に係る浴室ユニットが設けられた建築物を例示する模式的断面図である。
【図２】第１の実施形態に係る浴室ユニットを例示する斜視図である。
【図３】第１の実施形態に係る浴室ユニットを例示する模式的上面図である。
【図４】本発明の第２の実施形態に係る浴室ユニットを例示する模式的上面図である。
【図５】本発明の第３の実施形態に係る浴室ユニットを例示する模式的上面図である。
【図６】本発明の第４の実施形態に係る浴室ユニットを例示する模式的上面図である。
【符号の説明】
【００４３】
１、３１、５１、６１  浴室ユニット、２  浴槽、３  洗い場、４  天井、５、６、７、３５、３６、３７、６５、６６、６７  パネル材、１１  排気口、１２  排気装置、１３  点検口、１４、４４  点検口蓋、１５  出射領域、２１  水栓、２２  足側の面、２３  鏡、２４  収納棚、２５  シャワー、２６  カウンター、２７  人工照明、６６ａ、６７ａ  切込、１０１  住宅、１０２  光ダクト、１０３  採光部、１０４  光出射口、１０５  排気管、Ｌ  外光
【図１】
2008082092.tif 000003
【図２】
2008082092.tif 000004
【図３】
2008082092.tif 000005
【図４】
2008082092.tif 000006
【図５】
2008082092.tif 000007
【図６】
2008082092.tif 000008